(57)【要約】【課題】  一本化器の負荷を軽くして、一本化器内で複数の一本化処理を行うことができるようにし、さらに、一本化と同時に、シーンチェンジをするポイントでサムネイルを作成することができるようにする。【解決手段】  符号化された高解像度圧縮データに編集処理及び一本化処理を施す高解像度処理部２０と、符号化された低解像度圧縮データに編集処理及び一本化処理を施す低解像度処理部３０とを備えた映像データ処理装置において、低解像度処理部３０の一本化器３４は、編集した内容に基づいて映像と音声を連結する一本化処理と、編集した内容に基づいて圧縮データの先頭から固定長部分のフレームをサムネイルとして作成する処理とを行う。【選択図】  図２
2012147110.tif 000002
【特許請求の範囲】
【請求項１】
符号化された高解像度圧縮データに編集処理及び一本化処理を施す高解像度処理部と、符号化された低解像度圧縮データに編集処理及び一本化処理を施す低解像度処理部と、を備えた映像データ処理装置において、
低解像度処理部は、編集した内容に基づいて映像と音声を連結する一本化処理と、編集した内容に基づいて圧縮データの先頭から固定長部分のフレームをサムネイルとして作成する処理とを行う一本化手段を有していることを特徴とする映像データ処理装置。
【発明の詳細な説明】
【技術分野】
【０００１】
本発明は、収録した映像の内容を把握し易くするための符号化に関し、特に、符号化された高解像度圧縮データに編集処理及び一本化処理を施す高解像度処理部と、符号化された低解像度圧縮データに編集処理及び一本化処理を施す低解像度処理部とを備え、テープレスのシステム等に用いられる映像データ処理装置に関する。
なお、一本化とは編集した内容に基づいて、映像と音声を連結することである。
【背景技術】
【０００２】
近年、放送業界において、収録・編集・放送の作業でテープを用いないテープレスシステムが採用されている。
テープを用いる場合、各過程でテープが必要となるため、テープが増大してしまうだけでなく、編集の過程では、編集作業の即時性が要求されているなかで、必要な映像を探す際に早送りや巻き戻しの時間が必要になる。このような背景のなか、収録ではテープに代わり、データとしての記録や扱いのできるテープより小さなメディアが採用されている。編集においても、データとして扱えることからダイレクトに必要な場所を指定できるため、早送りや巻き戻しの時間が必要なくなる。その結果、短時間の編集が行える。
【０００３】
図２には、一本化処理を行うテープレスシステムの一例を示してある。
同図に示すテープレスシステムは、収録部１０、高解像度サーバー部２０、低解像度サーバー部３０、送出部４０を備えて構成されている。
【０００４】
そして、収録部１０は、コントローラ１１、符号器１２を有している。
また、高解像度サーバー部２０は、記憶装置２１、編集機２２、効果器２３、一本化器２４を有している、
また、低解像度サーバー部３０は、記憶装置３１、編集機３２、効果器３３、一本化器３４を有している。
また、送出部４０は、コントローラ４１、復号器４２を有している。
【０００５】
カメラまたはＨＤ−ＳＤＩ(H igh Definition - Serial Digital Interface)等から高解像度非圧縮データが収録部１０に入力され、コントローラ１１は高解像度非圧縮データを確認しながら収録するための制御信号を符号器１３に出力する。
符号器１２は、コントローラ１１の制御信号を基に、高解像度非圧縮データを符号化し、高解像度圧縮データ及びサムネイルを高解像度サーバー部２０の記憶装置２１に保存し、また、低解像度圧縮データ及びサムネイルを低解像度サーバー部３０の記憶装置３１に保存する。
サムネイルとは、映像の１フレームを切り出したものであり、サムネイルを確認する事により収録内容をおおまかに把握することができるものである。
【０００６】
高解像度サーバー部２０の編集機２２は、記憶装置２１に保存したサムネイルデータ及び高解像度圧縮データを復号して確認しながら編集をし、編集した内容を示す編集リストを記憶装置２１に保存する。
また、編集機２２は、編集リストに基づいた編集作業を効果器２３及び一本化器２４にさせるために、効果器２３及び一本化器２４へ編集リストファイル名を含んだ制御信号を出力する。
【０００７】
効果器２３は、編集機２２からの制御信号を基に記憶装置２１から編集リストを取得して、編集リストを基に記憶装置２１から圧縮データを取得して効果をかけた圧縮データを作成し、記憶装置２１へ保存する。
効果としては、映像へのモザイクかけやシーンの切り替え、音声の音量を大きくするフェードインや、音声の音量を小さくするフェードアウト等がある。
【０００８】
一本化器２４は、編集機２２からの制御信号を基に記憶装置２１から編集リストを取得し、編集リストを基に記憶装置２１から圧縮データを取得して一本化をした圧縮データを作成し、記憶装置２１へ保存する。
一本化とは、編集した内容に基づいて映像、音声を連結することである。
【０００９】
低解像度サーバー部３０の編集機３２は、記憶装置３１に保存したサムネイルデータ及び低解像度圧縮データを復号して確認しながら編集をし、編集した内容を示す編集リストを記憶装置３１に保存する。
また、編集機３２は、編集リストに基づいた編集作業を効果器３３及び一本化器３４にさせるために、効果器３３及び一本化器３４へ編集リストファイル名を含んだ制御信号を出力する。
【００１０】
効果器３３は、編集機３２からの制御信号を基に記憶装置３１から編集リストを取得し、編集リストを基に記憶装置３１から圧縮データを取得して上記のような効果をかけた圧縮データを作成し、記憶装置３１へ保存する。
一本化器３４は、編集機３２からの制御信号を基に記憶装置３１から編集リストを取得し、編集リストを基に記憶装置３１から圧縮データを取得して一本化をした圧縮データを作成し、記憶装置３１へ保存する。
【００１１】
図３には、従来の低解像度サーバー部３０に備えられている一本化器３４の一例を示してある。
なお、一本化器３４を代表に説明するが、高解像度サーバー部２０に備えられている一本化器２４も、同様な構成を有して、同様な処理動作を行う。
この一本化器３４は、一本化処理器３４７、メモリ３４２、復号器３４３、メモリ３４４、カット検出器３４５、サムネイル符号器３４６を有している。
【００１２】
一本化処理器３４７は、編集機３２の編集リストファイル名を含んだ制御信号を基に記憶装置３１から編集リストを取得し、編集リストを基に記憶装置３１から圧縮データをメモリ３４２に読み込み、また、メモリ３４２に保持している一本化した圧縮データを記憶装置３１へ書き込む。
また、一本化処理器３４７は、編集リストを基に記憶装置３１から圧縮データをメモリ３４２に読み込み、メモリ３４２に保持している一本化した圧縮データを復号器３４３で復号する。
【００１３】
復号器３４３は、復号した非圧縮データをメモリ３４４に書き込み、また、カット検出器３４５へ出力する。
カット検出器３４５は、複数のフレームを保持し、その中でシーンチェンジがある場合に検出信号をメモリ３４４へ出力する。
メモリ３４４は、カット検出器３４５からの検出信号を基に保持した低解像度非圧縮データのフレーム中のカットに対応する１フレームをサムネイル符号器３４６へ出力する。
なお、このときのサムネイル符号器３４６の圧縮方式は、テープレスシステムで用いている圧縮方式と異なっている。
【００１４】
ここで、高解像度サーバー部２０における編集機２２で編集し、編集作業を効果器２３及び一本化器２４にさせた場合、高解像度サーバー部２０のデータを低解像度サーバー部３０のデータと同期させるために、編集機２２からの制御信号を基に記憶装置２１が低解像度サーバー部３０の記憶装置３１へ編集リストを転送する。
また、高解像度サーバー部２０における編集機２２で編集し、編集作業を効果器２３及び一本化器２４にさせた場合、高解像度サーバー部２０のデータを低解像度サーバー部３０のデータと同期させるために、編集機２２からの制御信号を基に編集機３２は効果器３３及び一本化器３４へ制御信号として編集リストのファイル名を出力し、低解像度サーバー部３０においても効果器３３及び一本化器３４が低解像度圧縮データを用いて高解像度サーバー部２０と同様な編集作業をする。
【００１５】
他方、低解像度サーバー部３０における編集機３２で編集し、編集作業を効果器３３及び一本化器３４にさせた場合、低解像度サーバー部３０のデータを高解像度サーバー部２０のデータと同期させるために、編集機３２からの制御信号を基に記憶装置３１が高解像度サーバー部２０の記憶装置２１へ編集リストを転送する。
また、低解像度サーバー部３０における編集機３２で編集し、編集作業を効果器３３及び一本化器３４にさせた場合、低解像度サーバー部３０のデータを高解像度サーバー部２０のデータと同期させるために、編集機３２からの制御信号を基に編集機２２は効果器２３及び一本化器２４へ制御信号として編集リストのファイル名を出力し、高解像度サーバー部２０においても効果器２３及び一本化器２４が高解像度圧縮データを用いて低解像度サーバー部２０と同様な編集作業をする。
【００１６】
通常、解像度は低いが編集する機器の負荷が軽い低解像度圧縮データを用いて編集をし、その結果を編集する機器の負荷が重い高解像度の圧縮データへ、高解像度の編集機で編集することもなく、反映させる。
【００１７】
送出部４０では、高解像度非圧縮データを放送するために、コントローラ４１が復号器４２へ制御信号を出力し、復号器４２が記憶装置２１から取得した高解像度圧縮データを復号する。
また、高解像度非圧縮データを放送する前に内容を確認するため、コントローラ４１は復号器４２へ制御信号を出力し、復号器４２が記憶装置３１から取得した低解像度圧縮データを復号することによりコントローラ４１へ出力する。
【００１８】
なお、特許文献１には、映像及び音声を含む映像信号をハードディスクに記録に再生する機能を有したビデオサーバが記載されている。
【先行技術文献】
【特許文献】
【００１９】
【特許文献１】特開２００６−９４０５２号公報
【発明の概要】
【発明が解決しようとする課題】
【００２０】
上記のように、従来のテープレスシステムでは、解像度は低いが編集する機器の負荷が軽い低解像度圧縮データを用いて編集をし、その結果を編集する機器の負荷が重い高解像度の圧縮データへ反映させている。このため、一本化器３４による低解像度圧縮データの一本化処理では、１筐体で複数の一本化を行っており、更に、このような一本化の機能に加えて、シーンチェンジのある複数のフレームを復号器３４３で一度復号し、カット検出器３４５でカットを検出した上で、サムネイル符号器３４６でサムネイル用の符号化をすることでサムネイルを作成する機能が必要であった。
しかしながら、このようなサムネイル作成機能では、一本化した圧縮データを復号し、且つ、非圧縮データのカット点を検出するので、機器の負担が重くなって一本化の処理能力が低下してしまうという問題があった。
【課題を解決するための手段】
【００２１】
本発明は、上記従来の課題を解決するためになされたものであり、低解像度圧縮データを一本化する際に、編集した内容に基づいて圧縮データの先頭から固定長部分のフレームをサムネイルとして作成する処理を行うことを特徴としている。
すなわち、本願発明は、符号化された高解像度圧縮データに編集処理及び一本化処理を施す高解像度処理部と、符号化された低解像度圧縮データに編集処理及び一本化処理を施す低解像度処理部と、を備えた映像データ処理装置において、低解像度処理部は、編集した内容に基づいて映像と音声を連結する一本化処理と、編集した内容に基づいて圧縮データの先頭から固定長部分のフレームをサムネイルとして作成する処理とを行う一本化手段を有していることを特徴とする映像データ処理装置である。
【００２２】
ここで、本発明では、低解像度の圧縮データの圧縮方式を変更せずにサムネイルを作成するようにするのが好ましく、また、サムネイルと低解像度圧縮データの圧縮方式を変えずに、編集リストを基に一本化する圧縮データの先頭から固定長のフレームをサムネイルとして作成するようにするのが好ましい。
【発明の効果】
【００２３】
本発明により、一本化器の負荷が軽くなるため、一本化器内で複数の一本化処理を行うことができ、この結果、一本化器の台数を減らすことができる。
さらに、一本化器に大きな負担をかけることなく、一本化と同時に、シーンチェンジをするポイントでサムネイルを作成することができる。
【図面の簡単な説明】
【００２４】
【図１】本願発明に係る一本化器の一構成例を示す図である。
【図２】テープレスシステムの一構成例を示す図である。
【図３】従来の一本化器の一構成例を示す図である。
【発明を実施するための形態】
【００２５】
図１には、本願発明に係る一本化器の一例を示してある。
同図に示す一本化器３４は、図２に示したテープレスシステムにおいて、図３に示した従来の一本化器３４に換えて用いられるものである。
すなわち、以下に説明する実施形態は、図２に示したテープレスシステムにおいて、符号化された低解像度圧縮データに編集処理及び一本化処理を施す低解像度サーバー部（低解像度処理部）３０に備えられる一本化器を、図１に示す一本化器３４として、この一本化器３４により、編集した内容に基づいて映像と音声を連結する一本化処理と、編集した内容に基づいて圧縮データの先頭から固定長部分のフレームをサムネイルとして作成する処理とを行うものである。
【００２６】
なお、本実施形態においても、図２に示す収納部１０、高解像度サーバー部２０、低解像度サーバー部３０、送出部４０の構成及び機能は、以下に説明する一本化器３４に係る部分を除いて、上記と同様であるので、図２に示したテープレスシステムを参照して説明するが、上記と同様な部分についての重複する説明は割愛する。
なお、高解像度サーバー部２０が、符号化された高解像度圧縮データに編集処理及び一本化処理を施す高解像度処理部に相当する。
【００２７】
図２に示す一本化器３４は、一本化処理器３４１と、メモリ３４２を備えて構成されており、この一本化処理機３４１により、編集器３２が編集した内容に基づいて映像と音声を連結する一本化処理と、編集器３２が編集した内容に基づいて低下解像度圧縮データの先頭から固定長部分のフレームをサムネイルとして作成する処理とを行う。
【００２８】
すなわち、一本化処理器３４１は、編集機３２又は編集機２２の編集リストファイル名を含んだ制御信号を基に記憶装置３１から編集リストを取得する。
そして、一本化処理器３４１は、編集リストを基に記憶装置３１から圧縮データをメモリ３４２に読み込み、メモリ３４２に保持している一本化した圧縮データを記憶装置３１へ書き込む。
【００２９】
また、一本化処理器３４１は、編集リストを基に記憶装置３１から圧縮データをメモリ３４２に読み込み、異なる素材の圧縮データについて、これら圧縮データの先頭から固定長の１フレームをカットに対応するサムネイルとして記憶装置３１へ出力する。
このとき、一本化処理器３４１がサムネイルを作成するための圧縮方式は、テープレスシステムで用いている他の圧縮方式と同じである。
【００３０】
このような構成の一本化器３４を用いて、圧縮方式を変えることなく、一本化する際に異なる素材の先頭から固定長の１フレームをサムネイルとすることにより、シーンチェンジのある複数のフレームをサムネイルとすることができ、一本化器の処理負荷を軽くしつつ編集内容を編集機等で確認可能なテープレスシステムを実現することができる。
なお、本発明を適用するテープレスシステムは、収納部１０、高解像度サーバー部２０、低解像度サーバー部３０、送出部４０を一体的に備えた装置構成としてもよいが、これら機能部の全部又は一部を別個な装置として構成して、圧縮データ、サムネイル、編集リスト、制御信号を伝送線やネットワークにより伝送するようにしてもよい。
【符号の説明】
【００３１】
１０：収録部、    ２０：高解像度サーバー部（高解像度処理部）、
３０：低解像度サーバー部（低解像度処理部）、  ３４：一本化器、
４０：送出部、    ３４１：一本化処理器、
【図１】
2012147110.tif 000003
【図２】
2012147110.tif 000004
【図３】
2012147110.tif 000005